(57)【特許請求の範囲】
【請求項１】
べた基礎の外周面に基礎断熱材が密着し、前記べた基礎の外周面に突設したポーチ用スラブ上にポーチが施工される建物の断熱構造であって、
前記ポーチ用スラブ上におけるこのポーチ用スラブと前記基礎断熱材との隅角部にポーチ用断熱材を敷設したことを特徴とする建物の断熱構造。
【請求項２】
前記ポーチ用スラブの外周面における少なくとも前記ポーチ用断熱材の下方にスラブ用断熱材を密着させた請求項１記載の建物の断熱構造。
【請求項３】
前記基礎断熱材の外周面を、シロアリの分泌物に耐性の耐腐食性材料で構成された基礎用のメッシュシートで被覆すると共に、このメッシュシートの下端を前記べた基礎及び前記ポーチ用スラブに取付けた請求項１又は２記載の建物の断熱構造。
【請求項４】
前記スラブ用断熱材の外周面を、シロアリの分泌物に耐性の耐腐食性材料で構成されたスラブ用のメッシュシートで被覆すると共に、このメッシュシートの少なくとも下端を前記ポーチ用スラブに取付けた請求項２又は３記載の建物の断熱構造。
【請求項５】
前記べた基礎の外周面の下端に前記基礎断熱材の厚さと略同じ厚さで周方向に延びる突出部を突設すると共に、この突出部に前記基礎用のメッシュシートの下端を取付けた請求項３又は４記載の建物の断熱構造。
【請求項６】
前記ポーチ用スラブの外周面の下端に前記スラブ用断熱材の厚さと略同じ厚さで周方向に延びる突出部を突設すると共に、この突出部に前記スラブ用のメッシュシートの下端を取付けた請求項４又は５記載の建物の断熱構造。
【請求項７】
前記メッシュシートが有する多数の孔の寸法が、いずれの方向においてもシロアリの頭部横断面における最大直線寸法の２倍以下である請求項３乃至６のいずれか記載の建物の断熱構造。
【請求項８】
細骨材を互いの間隔がシロアリの頭部横断面における最大直線寸法の２倍以下となるように配合した外装仕上げ塗材を、前記メッシュシートの上から塗布した請求項３乃至７のいずれか記載の建物の断熱構造。
【請求項９】
前記外装仕上げ塗材がコールタール系材料又は瀝青からなる請求項８記載の建物の断熱構造。
【請求項１０】
請求項１乃至９のいずれか記載の断熱構造を有する建物。
【発明の詳細な説明】
【０００１】
【発明の属する技術分野】
この発明は、玄関や勝手口等の下方に断熱欠損がない建物の断熱構造及びその建物に関する。
【０００２】
【従来の技術】
図１２に示すように、建物Ｆにおける従来のこの種の断熱構造としては、例えば、基礎スラブ７及び外周立ち上がり部８等からなるべた基礎１の外周面１ａに基礎断熱材２を密着させたものが知られている。
【０００３】
また、このような建物Ｆの玄関Ｇ等においては、矩形板状のコンクリート体からなる玄関ポーチ４等が基礎断熱材２に隣接して施工されるが、玄関ポーチ４等の沈下等によって基礎断熱材２との打ち継ぎ部分にひび割れが発生するのを防止するため、べた基礎１の外周面１ａに突設したポーチ用スラブ３上に玄関ポーチ４等が施工されることが多い。
【０００４】
【発明が解決しようとする課題】
しかしながら、玄関Ｇ等における基礎断熱材２はポーチ用スラブ３の存在によって地面１４より上方に位置しているので、外周立ち上がり部８の下方に断熱欠損が生じ、玄関Ｇ等の近傍の建物Ｆ内で結露が発生することがあるという問題点がある。
【０００５】
この発明は、以上のような問題点に鑑みてなされたものであり、玄関等の近傍の建物内においても結露が発生しない建物の断熱構造及びその建物を提供することを目的とする。
【０００６】
【課題を解決するための手段】
上記目的を達成するための請求項１の断熱構造は、べた基礎の外周面に基礎断熱材が密着し、前記べた基礎の外周面に突設したポーチ用スラブ上にポーチが施工される建物の断熱構造であって、前記ポーチ用スラブ上におけるこのポーチ用スラブと前記基礎断熱材との隅角部にポーチ用断熱材を敷設したものである。
【０００７】
請求項２の断熱構造は、前記ポーチ用スラブの外周面における少なくとも前記ポーチ用断熱材の下方にスラブ用断熱材を密着させたものである。
【０００８】
請求項３の断熱構造は、前記基礎断熱材の外周面を、シロアリの分泌物に耐性の耐腐食性材料で構成された基礎用のメッシュシートで被覆すると共に、このメッシュシートの下端を前記べた基礎及び前記ポーチ用スラブに取付けたものである。
【０００９】
請求項４の断熱構造は、前記スラブ用断熱材の外周面を、シロアリの分泌物に耐性の耐腐食性材料で構成されたスラブ用のメッシュシートで被覆すると共に、このメッシュシートの少なくとも下端を前記ポーチ用スラブに取付けたものである。
【００１０】
請求項５の断熱構造は、前記べた基礎の外周面の下端に前記基礎断熱材の厚さと略同じ厚さで周方向に延びる突出部を突設すると共に、この突出部に前記基礎用のメッシュシートの下端を取付けたものである。
【００１１】
請求項６の断熱構造は、前記ポーチ用スラブの外周面の下端に前記スラブ用断熱材の厚さと略同じ厚さで周方向に延びる突出部を突設すると共に、この突出部に前記スラブ用のメッシュシートの下端を取付けたものである。
【００１２】
請求項７の断熱構造においては、前記メッシュシートが有する多数の孔の寸法が、いずれの方向においてもシロアリの頭部横断面における最大直線寸法の２倍以下である。
【００１３】
請求項８の断熱構造は、細骨材を互いの間隔がシロアリの頭部横断面における最大直線寸法の２倍以下となるように配合した外装仕上げ塗材を、前記メッシュシートの上から塗布したものである。
【００１４】
請求項９の断熱構造は、前記外装仕上げ塗材がコールタール系材料又は瀝青からなるものである。
【００１５】
また、請求項１０の建物は、請求項１乃至９のいずれか記載の断熱構造を有するものである。
【００１６】
【発明の実施の形態】
以下、この発明の実施形態を図面に基づいて説明する。なお、従来技術と同じ構成については、同一符号を付している。
図１乃至図６に示すように、この実施形態に係る建物Ｆの断熱構造は、べた基礎１の外周面１ａに基礎断熱材２が密着し、べた基礎１の外周面１ａに突設したポーチ用スラブ３上に例えば玄関ポーチ（ポーチ）４が施工されるものであって、ポーチ用スラブ３上におけるこのポーチ用スラブ３と基礎断熱材２との隅角部５にポーチ用断熱材６を敷設したものである。
【００１７】
べた基礎１は、建物Ｆの下部に全面的に施工された基礎スラブ７及びこの基礎スラブ７上の外周に立設された外周立ち上がり部８等から構成されている。建物Ｆの例えば玄関Ｇにおける外周立ち上がり部８の上部には、出入枠等が取付けられる凹状の切欠部９が設けられている。基礎スラブ７の外周部分には他の部位よりも厚い厚肉部１０が形成されており、この厚肉部１０の下方には捨てコンクリート１１が施工されている。基礎スラブ７や捨てコンクリート１１の下方には、割栗石１２が全面的に施工されている。なお、基礎スラブ７の縦断面形状等は特に限定されるものではなく、従来公知の各種の構成を採用できる。
【００１８】
基礎断熱材２は、矩形状の合成樹脂発泡板等から構成されており、べた基礎１の外周面１ａに周方向に沿って相隣接して密着している。建物Ｆの玄関Ｇにおける基礎断熱材２の上部には、外周立ち上がり部８の切欠部９と略同じ大きさの凹状の切欠部１３が切欠部９と重なるように設けられている。基礎断熱材２は、接着剤等により接着したり、あるいは基礎スラブ７や外周立ち上がり部８を施工するためのコンクリート型枠の内側に固定した状態でコンクリートを打設したりすることによって、べた基礎１に密着させることができる。基礎断熱材２を基礎スラブ７等の打設により密着させる場合は、基礎断熱材２とコンクリートとの密着が充分なものとなり、断熱性等の面から更に好ましいものとなる。
【００１９】
ポーチ用スラブ３は、建物Ｆの玄関Ｇにおけるべた基礎１の外周面１ａに基礎スラブ７と連続して突設されている。ポーチ用スラブ３の上方の基礎断熱材２は他の部位よりも縦の長さが小さく形成されており、地面１４よりも高い位置で外周立ち上がり部８に密着している。ポーチ用スラブ３の外周部分には厚肉部１５が形成されており、この厚肉部１５の下方には捨てコンクリート１１が施工されている。ポーチ用スラブ３や捨てコンクリート１６の下方には、割栗石１２が施工されている。なお、ポーチ用スラブ３の縦断面形状等は特に限定されるものではなく、従来公知の各種の構成を採用できる。また、ポーチ用スラブ３等は、このポーチ用スラブ３と玄関ポーチ４等との隙間にシロアリが侵入しないように、地面１４よりも上に突出させて施工するのが望ましい。
【００２０】
玄関ポーチ４は、矩形板状のコンクリート体から構成されており、ポーチ用スラブ３上に基礎断熱材２と隣接しかつ基礎断熱材２の切欠部１３近傍でその底面１３ｄ等と略同じ高さとなるように施工されている。外周立ち上がり部８の切欠部９近傍の基礎スラブ７上には盛土１６ａ及び砂利１６ｂが下方からこの順に外周立ち上がり部８と隣接して所定範囲施工されており、砂利１６ｂ上には玄関土間１７が切欠部９の底面９ｄ等と略同じ高さとなるように施工されている。なお、ポーチとしては、この実施形態のような玄関ポーチ４に限定されるものではなく、他に例えば勝手口ポーチ、テラス（ベランダ）ポーチ、サンルームポーチ等が挙げられる。即ち、ポーチ用断熱材６は、玄関Ｇの他、例えば勝手口、テラス（ベランダ）、サンルーム等における断熱補強にも使用できる。また、外周立ち上がり部８の切欠部９や基礎断熱材２の切欠部１３は必須のものではなく、必要に応じて設けることができる。更に、玄関土間１７の下方には、盛土１６ａや砂利１６ｂに代えて又は盛土１６ａや砂利１６ｂと共に、砕石等を施工することもできる。
【００２１】
ポーチ用断熱材６は、基礎断熱材２と同様の材質で構成されており、ポーチ用スラブ３上におけるこのポーチ用スラブ３と基礎断熱材２との隅角部５に敷設されている。玄関ポーチ４は、ポーチ用断熱材６を敷設した後で打設される。
【００２２】
ポーチ用断熱材６を上記のように敷設しておけば、ポーチ用スラブ３の上方の基礎断熱材２が地面１４より上方に位置していても外周立ち上がり部８の下方に断熱欠損が生じることがないので、玄関Ｇ等の近傍の建物Ｆ内においても結露が発生するのを防止できるという利点がある。なお、ポーチ用断熱材６の厚さや奥行きＬは地域に応じて適宜に設定できるが、厚さが２０ｍｍ以上かつ奥行きＬが４５０ｍｍ以上、より好ましくは厚さが５０ｍｍ以上かつ奥行きＬが９００ｍｍ以上が望ましい。また、図７に示すように、ポーチ用断熱材６をポーチ用スラブ３上に全面的に敷設することもできる。ポーチ用断熱材６の厚さが２０ｍｍ未満又は奥行きＬが４５０ｍｍ未満では、玄関Ｇ等の近傍における建物Ｆ内の温度が露点以下に低下することがあるので望ましくない。
【００２３】
ここで、この実施形態のように、ポーチ用スラブ３の外周面３ａに例えば全周に渡って、基礎断熱材２と同様の材質で構成されたスラブ用断熱材１８を密着させておけば、断熱性を更に向上できるという利点がある。なお、スラブ用断熱材１８は、ポーチ用スラブ３の外周面３ａに全周に渡って密着させるのが望ましいが、これに限定されるものではなく、図８及び図９に示すように、ポーチ用断熱材６の下方にのみ密着させることもできるし、更に広い範囲に密着させることもできる。
【００２４】
また、基礎断熱材２は、外周面２ａを図１０に示すような基礎用のメッシュシート１９で被覆すると共に、このメッシュシート１９の下端１９ｄをべた基礎１及びポーチ用スラブ３に取付けておくのが望ましい。スラブ用断熱材１８も、メッシュシート１９と同様に構成されたスラブ用のメッシュシート２０で外周面１８ａを被覆すると共に、このメッシュシート２０の少なくとも下端２０ｄをポーチ用スラブ３に取付けておくのが望ましい。
【００２５】
基礎用のメッシュシート１９及びスラブ用のメッシュシート２０は、図１０に示すように、例えばステンレス鋼ワイヤ２１等から製織等され、網目２２等の多数の孔を有している。なお、シロアリバリアー材として使用されるメッシュシート１９，２０は、図１１に示すようなシロアリ２３から放出されるギ酸等の分泌物に耐性でかつシロアリ２３が噛み砕くことができない硬さ、好ましくは少なくともＨＤＤ約７０のデュロメータ硬さを有すると共に、使用環境下で数十年の耐用年数を有する耐腐食性材料で構成されていれば、種々のものを使用できる。このようなメッシュシート１９，２０としては、例えば、セラミックス・ガラス・合成樹脂・金属（特にステンレス）等の繊維・フィラメント・ストランド等から製織又は製編等されたワイヤーラス等や不織布、あるいはパンチングメタル、メタルラス等が挙げられ、特に「ターミメッシュ（ＴＥＲＭＩ−ＭＥＳＨ）」（商品名，ターミメッシュジャパン株式会社製）等のステンレスメッシュ等、柔軟性に優れ、かつ、切断、折曲による造形、折曲時の輪郭付け等が容易なものが好適である。要するに、網目２２等の多数の孔を有するものであればよいが、この孔の形状は特に限定されるものではなく、矩形状や円状等の適宜の形状とすることができる。
【００２６】
シロアリ２３とは、ゴキブリに近縁の社会生活をする不完全変態の昆虫であって、シロアリ目（等翅類）Isopteraの総称である。このシロアリ２３は、図１１に示すように、非変形性の堅い頭部２３ａを有する一方、比較的柔らかくて弱い体部２３ｂを有している。このようなシロアリ２３としては、例えば、ヤマトシロアリやイエシロアリ等の各種のものが挙げられる。
【００２７】
メッシュシート１９，２０は、基礎断熱材２の外周面２ａ又はスラブ用断熱材１８の外周面１８ａ等にあらかじめ融着一体化させておいたり、あるいはモルタルに適宜のポリマー等を配合した接着モルタル等により接着したりすることによって、基礎断熱材２やスラブ用断熱材１８に取付けることができる。メッシュシート１９，２０の下端１９ｄ，２０ｄ等は、接着モルタル等による接着等によって、べた基礎１やポーチ用スラブ３に取付けることができる。図６に示すように、メッシュシート２０の側端２０ｆは、少し長く形成しておいて基礎断熱材２又はメッシュシート１９等に接着等しておくのが望ましい。いずれにしても、メッシュシート１９，２０は多数の孔を有しているので、融着一体化や接着等に際しては、多数の孔によるアンカー効果によってより強固に取付けることができるという利点がある。
【００２８】
基礎断熱材２をより確実に保護するには、この実施形態のように、上面２ｃもメッシュシート１９で被覆しておくのが望ましい。この場合、メッシュシート１９の上端１９ｃは、少し長く形成しておいて外周立ち上がり部８等に埋設又は接着等しておくのが望ましい。この実施形態のように、メッシュシート１９の上端１９ｃを、外周立ち上がり部８の天端等に施工されるならしモルタル２４に埋設しておけば、取付けを確実にできると共に、納まりもよい。外周立ち上がり部８の切欠部９や基礎断熱材２の切欠部１３においては、メッシュシート１９の上端１９ｃを所定範囲切欠いたり、適宜の位置に切込みを入れたりしておき、その端部１９ｇを折曲して切欠部９，１３に接着モルタル等により接着等しておくのが望ましい。なお、玄関Ｇ等の外側にはポーチ用スラブ３が施工されているので、ポーチ用スラブ３の上方の基礎断熱材２については、図７に示すように、メッシュシート１９で被覆せずに施工することもできる。
【００２９】
スラブ用断熱材１８は、図７のように外周面１８ａをメッシュシート２０で被覆しておけば十分であるが、スラブ用断熱材１８をより確実に保護するには、この実施形態のように上面１８ｃもメッシュシート２０で被覆しておくのが望ましい。この場合、メッシュシート２０の上端２０ｃは、少し長く形成しておいてポーチ用スラブ３上に接着等しておけばよい。図８及び図９に示すように、スラブ用断熱材１８を少なくともポーチ用断熱材６の下方に密着させる場合において、ポーチ用スラブ３の打設によってこのポーチ用スラブ３にスラブ用断熱材１８を埋設したときは、メッシュシート２０の一側端２０ｅを少し長く形成しておいてポーチ用スラブ３に接着等しておくのが望ましい。メッシュシート２０の他側端２０ｆは、少し長く形成しておいて基礎断熱材２又はメッシュシート１９等に接着等しておくのが望ましい。
【００３０】
基礎用のメッシュシート１９を上記のように取付けておけば、メッシュシート１９が障害となるので、シロアリ２３が基礎断熱材２へ侵入するのを阻止できる。そのため、従来の薬剤散布やベイト（毒餌）工法とは異なり、建物Ｆ内の環境を汚染せずかつ期間を要することなく基礎断熱材２をシロアリ２３による食害から保護できると共に、シロアリ２３が基礎断熱材２の内部を通過して軸組Ｊや床組等に侵入することもないという利点がある。また、スラブ用のメッシュシート２０を上記のように取付けておけば、スラブ用断熱材１８をシロアリ２３による食害から保護できるので、断熱性が低下しないという利点がある。
【００３１】
ここで、網目２２等の孔の寸法が、いずれか１方向又は２以上の方向において、シロアリ２３の頭部２３ａの横断面における最大直線寸法Ｈの２倍以下であれば、シロアリ２３の頭部２３ａが孔を通り抜けないか、又は頭部２３ａが通り抜けても柔らかい体部２３ｂ等が孔に接触する場合はシロアリ２３がそれを嫌うので、シロアリ２３の侵入を確実に阻止でき、そのため基礎断熱材２やスラブ用断熱材１８をより確実に保護できるという利点がある。この場合、前記最大直線寸法Ｈは、イエシロアリの職蟻で１．１〜１．２５ｍｍ程度、ヤマトシロアリの職蟻で１．０〜１．２ｍｍ程度であるので、ヤマトシロアリが生息する地域では、孔の寸法をいずれの方向においても２．０ｍｍ程度以下としておくのが望ましい。
【００３２】
また、細骨材を互いの間隔が前記最大直線寸法Ｈの２倍以下となるように配合した外装仕上げ塗材２５をメッシュシート１９，２０の上から塗布しておけば、仮にシロアリ２３が外装仕上げ塗材２５を食い破ろうとした場合でも、メッシュシート１９，２０の場合と同様、細骨材の間を通り抜けることができないか又は通り抜けるのを嫌うので、シロアリ２３の侵入を確実に阻止できるという利点がある。なお、この外装仕上げ塗材２５は、メッシュシート１９，２０を基礎断熱材２、ポーチ用スラブ３、スラブ用断熱材１８等に接着する接着材（例えば接着モルタル等）、外装仕上げ用の下塗り材又は上塗り材（例えばモルタル等）等の少なくともいずれかとして使用できる。
【００３３】
上記のような細骨材としては、シロアリ２３が噛み砕くことができない砂等が挙げられる。細骨材の配合量や大きさは特に限定されるものではなく、外装仕上げ塗材２５がシロアリ２３によって食い破られないようにその大きさに応じて充分な量を配合しておけばよい。なお、外装仕上げ塗材２５を上記のようなメッシュシート１９，２０の接着材として使用する場合は、細骨材が一様に分散した状態のままで塗布できるように、細骨材の大きさをメッシュシート１９，２０の孔を通過する寸法としておくのが望ましい。
【００３４】
外装仕上げ塗材２５としては、例えばセメント系、ケイ酸質系、合成樹脂エマルジョン系、合成樹脂溶液系等の各種の塗材が挙げられるが、コールタール系材料や瀝青からなる場合は、それ自体の物理的防蟻効果によってシロアリ２３の侵入をより確実に阻止できるという利点がある。
【００３５】
このようなコールタール系材料としては、例えば、コールタールやコールタールピッチの他、これらの少なくとも１種とエポキシ樹脂やポリウレタン等の適宜のポリマーとの混合物等が挙げられる。また、瀝青とは、原油から熱作用で得られる炭化水素をいい、ビチューメン又はアスファルトともいう。このような瀝青としては、例えば、ストレートアスファルト、ブローンアスファルト、触媒ブローンアスファルトの他、これらの少なくとも１種と上記のような適宜のポリマーとの混合物等が挙げられる。コールタール系材料又は瀝青からなる外装仕上げ塗材２５の塗布作業は、加熱等により取り扱い易い適度な粘性に軟化等させてから行うのが望ましい。
【００３６】
更に、べた基礎１の外周面１ａの下端に基礎断熱材２の厚さと略同じ厚さで周方向に延びる突出部２６を突設すると共に、この突出部２６に基礎用のメッシュシート１９の下端１９ｄを接着モルタル等により取付けておけば、突出部２６と基礎断熱材２とが略面一となるので、メッシュシート１９の取付け作業を簡単に行えるという利点がある。なお、基礎断熱材２は、突出部２６に密着していなくてもよい。また、ポーチ用スラブ３の外周面３ａの下端にスラブ用断熱材１８の厚さと略同じ厚さで周方向に延びる突出部２７を突設すると共に、この突出部２７にスラブ用のメッシュシート２０の下端２０ｄを取付けた場合も、同様の利点がある。同様に、スラブ用断熱材１８も、突出部２７に密着していなくてもよい。
【００３７】
以上、この実施形態においては、基礎断熱材２をべた基礎１の外周面１ａにのみ密着させる場合について説明したが、これに限定されるものではなく、必要に応じて、べた基礎１の外周面１ａに加えて外周立ち上がり部８の内周面８ｂに基礎断熱材２を密着させることもできる。この場合、玄関土間１７等の下方においては、基礎スラブ７上におけるこの基礎スラブ７と外周立ち上がり部８の内周面８ｂに密着させた基礎断熱材２との隅角部に更に断熱材を敷設することもできる。また、外周立ち上がり部８の内周面８ｂに基礎断熱材２を密着させない場合でも、玄関土間１７等の下方においては、基礎スラブ７上におけるこの基礎スラブ７と外周立ち上がり部８との隅角部に断熱材を敷設することができる。
【００３８】
【発明の効果】
以上のように、請求項１及び請求項１０の発明によれば、ポーチ用スラブ上におけるこのポーチ用スラブと基礎断熱材との隅角部にポーチ用断熱材を敷設しているので、ポーチ用スラブの上方の基礎断熱材が地面より上方に位置していても外周立ち上がり部の下方に断熱欠損が生じることがない。そのため、玄関等の近傍の建物内においても結露が発生するのを防止できる。
【００３９】
請求項２及び請求項１０の発明によれば、ポーチ用スラブの外周面における少なくともポーチ用断熱材の下方にスラブ用断熱材を密着させているので、断熱性を更に向上できる。
【００４０】
請求項３及び請求項１０の発明によれば、基礎断熱材の外周面を基礎用のメッシュシートで被覆すると共に、このメッシュシートの下端をべた基礎及びポーチ用スラブに取付けているので、メッシュシートが障害となり、シロアリが基礎断熱材へ侵入するのを阻止できる。そのため、従来の薬剤散布やベイト（毒餌）工法とは異なり、建物内の環境を汚染せずかつ期間を要することなく基礎断熱材をシロアリによる食害から保護できると共に、シロアリが基礎断熱材の内部を通過して軸組や床組等に侵入することもない。
【００４１】
請求項４及び請求項１０の発明によれば、スラブ用断熱材の外周面をスラブ用のメッシュシートで被覆すると共に、このメッシュシートの少なくとも下端をポーチ用スラブに取付けているので、スラブ用断熱材をシロアリによる食害から保護でき、そのため断熱性が低下しない。
【００４２】
請求項５及び請求項１０の発明によれば、前記突出部に基礎用のメッシュシートの下端を取付けているので、突出部と基礎断熱材とが略面一となり、そのためメッシュシートの取付け作業を簡単に行える。
【００４３】
請求項６及び請求項１０の発明によれば、前記突出部にスラブ用のメッシュシートの下端を取付けているので、請求項５と同様の利点がある。
【００４４】
請求項７及び請求項１０の発明によれば、メッシュシートが有する多数の孔の寸法が、いずれの方向においてもシロアリの頭部横断面における最大直線寸法の２倍以下であるので、シロアリの侵入を確実に阻止でき、そのため基礎断熱材やスラブ用断熱材をより確実に保護できる。
【００４５】
請求項８及び請求項１０の発明によれば、前記外装仕上げ塗材をメッシュシートの上から塗布しているので、シロアリの侵入を確実に阻止できる。
【００４６】
請求項９及び請求項１０の発明によれば、前記外装仕上げ塗材がコールタール系材料又は瀝青からなるので、それ自体の物理的防蟻効果によってシロアリの侵入をより確実に阻止できる。
【図面の簡単な説明】
【図１】実施形態に係る建物の断熱構造を示す要部拡大横断面図。
【図２】図１のＡ−Ａ線断面図。
【図３】図１のＢ−Ｂ線断面図。
【図４】図１のＣ−Ｃ線断面図。
【図５】図１のＤ−Ｄ線断面図。
【図６】図２のＥ−Ｅ線断面図。
【図７】ポーチ用断熱材をポーチ用スラブ上に全面的に敷設した例を示す要部拡大縦断面図。
【図８】スラブ用断熱材をポーチ用断熱材の下方にのみ密着させた例を示す要部拡大縦断面図。
【図９】図８の要部拡大横断面図。
【図１０】メッシュシートの要部拡大平面図。
【図１１】  (a)はシロアリの平面図、(b)は(a)のＹ−Ｙ線断面図。
【図１２】従来例を示す要部拡大縦断面図。
【符号の説明】
Ｆ  建物
１  べた基礎
１ａ  外周面
２  基礎断熱材
２ａ  外周面
３  ポーチ用スラブ
３ａ  外周面
４  玄関ポーチ（ポーチ）
５  隅角部
６  ポーチ用断熱材
１８  スラブ用断熱材
１８ａ  外周面
１９  基礎用のメッシュシート
１９ｄ  下端
２０  スラブ用のメッシュシート
２０ｄ  下端
２２  網目（孔）
２３  シロアリ
２３ａ  頭部
２５  外装仕上げ塗材
２６，２７  突出部
【図１】
0003865218.tif 000002
【図２】
0003865218.tif 000003
【図３】
0003865218.tif 000004
【図４】
0003865218.tif 000005
【図５】
0003865218.tif 000006
【図６】
0003865218.tif 000007
【図７】
0003865218.tif 000008
【図８】
0003865218.tif 000009
【図９】
0003865218.tif 000010
【図１０】
0003865218.tif 000011
【図１１】
0003865218.tif 000012
【図１２】
0003865218.tif 000013